(57)【要約】【課題】測定する周波数帯が変わる毎に分配合成器を交換する手間と時間を削減し、交換時に生じる測定精度のばらつきを抑え得る分配合成器の提供。【解決手段】分配合成装置は、第一切替部と、対象とする周波数帯域が互いに異なる複数個の分配合成器と、前記複数個の第二切替部とを備え、前記第一切替部は、第一端子と前記分配合成器の各々との接続を入力信号の周波数に応じて切り替え、前記第二切替部は、前記複数個の第二端子の各々と前記分配合成器の各々との接続を前記周波数に応じて切り替える。【選択図】      図１
2019213021.tif 000002
【特許請求の範囲】
【請求項１】
第一切替部と、
対象とする周波数帯域が互いに異なる複数個の分配合成器と、前記複数個の第二切替部と、を備え、
前記第一切替部は、第一端子と前記分配合成器の各々との接続を入力信号の周波数に応じて切り替え、
前記第二切替部は、前記複数個の第二端子の各々と前記分配合成器の各々との接続を前記周波数に応じて切り替える、
分配合成装置。
【請求項２】
前記分配合成器の各々に各々接続され、前記第一切替部及び前記第二切替部において生じる信号レベルの低下を補正する、前記複数個の補正部をさらに備える、請求項１に記載された分配合成装置。
【請求項３】
前記第二端子の各々が、前記補正部に接続されている、請求項２に記載された分配合成装置。
【請求項４】
前記低下が前記周波数に応じたものである、請求項２又は請求項３に記載された分配合成装置。
【請求項５】
前記補正に係る補正量が前記周波数帯域に応じたものである、請求項２乃至請求項４のうちのいずれか一に記載された分配合成装置。
【請求項６】
前記補正部の各々が、接続された前記分配合成器の各々に係る前記周波数帯域に応じた通過帯域のフィルタを備える、請求項２乃至請求項５のうちのいずれか一に記載された分配合成装置。
【請求項７】
前記第一切替部が高周波リレーである、請求項１乃至請求項６のうちのいずれか一に記載された分配合成装置。
【請求項８】
前記第二切替部が高周波リレーである、請求項１乃至請求項７のうちのいずれか一に記載された分配合成装置。
【請求項９】
前記第一切替部と前記第二切替部が共通の仕様を有する、請求項１乃至請求項８のうちのいずれか一に記載された分配合成装置。
【請求項１０】
前記入力信号を分配するか、前記複数の前記入力信号を合成するか、を行う、請求項１乃至請求項９のうちのいずれか一に記載された分配合成装置。
【発明の詳細な説明】
【技術分野】
【０００１】
本発明は、ある信号を複数の信号に分配し又は複数の信号を合成する分配合成装置に関する。
【背景技術】
【０００２】
測定や評価に使用される分配合成器として、分配合成時に生じる損失の大きい抵抗分配型と比較して分配損失が少ないウィルキンソン型が知られている（特許文献１及び２参照）。
【０００３】
ここで、特許文献３は、到来信号の受信にも送信信号の放射にも共通に用いられるアンテナに対して、同時に複数の送受信器を作動させるための回路配置を開示する。
【先行技術文献】
【特許文献】
【０００４】
【特許文献１】特開２０１３−０２１３８１号公報
【特許文献２】特開２００６−１０８７４１号公報
【特許文献３】特表２００６−５２０１４３号公報
【発明の概要】
【発明が解決しようとする課題】
【０００５】
一般的なウィルキンソン型分配合成器の問題点は、信号の周波数帯が変わる毎に、その周波数帯用のものに交換して使い分ける必要があることである。ウィルキンソン型分配合成器においては、伝送する信号の波長の４分の１近傍の幅を有するマイクロストリップラインにより伝送線路が構築されている。そして、分配合成器の対応周波数帯から周波数が離れるほど位相のずれが大きくなり信号の損失が発生するためである。
【０００６】
ここで、複数の周波数帯に対応し得る広帯域のウィルキンソン型分配合成器が知られている。しかしながら、広帯域のウィルキンソン型分配合成器は、位相及びインサーションによる損失やアイソレーション低下などにより、狭帯域の分配合成器と比較して性能が悪い。そのため、広帯域のウィルキンソン型分配合成器は、正確な値を計測したい測定や評価には向かない。
【０００７】
入力信号の周波数帯が変わる度のその周波数帯に対応した分配合成器への交換は、人手により行う必要があり、手間と時間がかかる。
【０００８】
また、人手による交換作業を行う場合、作業者が変わることによりコネクタの締め付け具合が変わる。また、作業者が同一であっても交換する度に締め付け具合が異なることもある。高周波信号は同軸コネクタの締め付け具合で測定値が変化する。そのため、人手による交換作業が行われる度に、信号特性が変化し、精度の高い測定が行えない場合がある。
【０００９】
本発明は、測定する周波数帯が変わる毎に分配合成器を交換する手間と時間を減らし、交換時に生じる測定精度のばらつきを抑え得る分配合成器の提供を目的とする。
【課題を解決するための手段】
【００１０】
本発明の分配合成装置は、第一切替部と、対象とする周波数帯域が互いに異なる複数個の分配合成器と、前記複数個の第二切替部とを備え、前記第一切替部は、第一端子と前記分配合成器の各々との接続を入力信号の周波数に応じて切り替え、前記第二切替部は、前記複数個の第二端子の各々と前記分配合成器の各々との接続を前記周波数に応じて切り替える。
【発明の効果】
【００１１】
本発明の分配合成装置は、測定する周波数帯が変わる毎に分配合成器を交換する手間と時間を減らし、交換時に生じる測定精度のばらつきを抑え得る。
【図面の簡単な説明】
【００１２】
【図１】分配合成器の構成例を表す概念図である。
【図２】補正回路の構成例を表す概念図である。
【図３】補正回路の他の構成例を表す概念図である。
【図４】実施形態の分配合成器の最小限の構成を表すブロック図である。
【発明を実施するための形態】
【００１３】
＜第一実施形態＞
第一実施形態は、分配器として動作する分配合成装置についての実施形態である。
［構成と動作］
図１は、第一実施形態の分配合成器の例である分配合成装置１００ａの構成を表す概念図である。
【００１４】
分配合成装置１００ａは、高周波リレー１０４ａ乃至１０４ｄと、分配合成器１０３ａ乃至１０３ｃと、補正回路１０５ａ乃至１０５ｃとを備える。
【００１５】
なお、図１に実線で表す各構成間の配線は、例えば、セミリジッドケーブル等の同軸配線である。
【００１６】
外部から端子１０１に入力された入力信号は高周波リレー１０４ａの端子ａ１に到達する。当該外部は、例えば、前記入力信号を端子１０１へ入力するとともに、その入力信号の周波数の属する後述の周波数帯域に応じた制御信号を端子１０６に入力する、入力装置である。
【００１７】
高周波リレー１０４ａは、外部から端子１０６を介して入力された制御信号に従い、端子ａ１を端子ａ２乃至ｃ２のいずれかに接続する。当該接続は、入力信号の周波数を含む周波数帯域に応じて行われる。当該周波数帯域は、分配合成器１０３ａ乃至１０３ｃの各々が対応し得る周波数帯域である。
【００１８】
分配合成器１０３ａ乃至１０３ｃの各々（各分配合成器）は、互いに異なる周波数帯域の信号用に設計された分配合成器である。各分配合成器は、例えば、背景技術の項で説明したウィルキンソン型のものである。各分配合成器は、端子ａ３に入力された入力信号を端子ａ４乃至ｃ４の各々に分配する。
【００１９】
各分配合成器の端子ａ４乃至ｃ４の各々に分配された各分配信号は、補正回路１０５ａ乃至１０５ｃのうちの対応する各々（各補正回路）の端子ａ５乃至ｃ５の各々に入力される。
【００２０】
端子ａ５乃至ｃ５の各々に入力された各分配信号の信号レベルは、各補正回路により補正される。当該補正は、高周波リレー１０４ａ及び高周波リレー１０４ｂ乃至１０４ｄのうちの信号が通過するもの、において生じる信号レベルの低下を補正するものである。前記低下に係る低下量は、前記周波数帯域に応じて生じたものである。従い、各補正回路は、前記周波数帯域に応じた補正を行う。補正後の分配信号（補正後分配信号）の各々は端子ａ６乃至ｃ６の各々に出力される。
【００２１】
補正回路１０５ａの端子ａ６、ｂ６及びｃ６の各々に出力された補正後分配信号の各々は、この順に、高周波リレー１０４ｂ、１０４ｃ及び１０４ｄの各々の端子ａ７に入力される。
【００２２】
補正回路１０５ｂの端子ａ６、ｂ６及びｃ６の各々に出力された補正後分配信号の各々は、この順に、高周波リレー１０４ｂ、１０４ｃ及び１０４ｄの各々の端子ｂ７に入力される。
【００２３】
補正回路１０５ｃの端子ａ６、ｂ６及びｃ６の各々に出力された補正後分配信号の各々は、この順に、高周波リレー１０４ｂ、１０４ｃ及び１０４ｄの各々の端子ｃ７に入力される。
【００２４】
高周波リレー１０４ｂ、１０４ｃ及び１０４ｄの各々（各出力側高周波リレー）には、端子１０６から、前述の端子１０６を通じて前述の制御信号が入力される。
【００２５】
そして、各出力側高周波リレーは、前記制御信号により、端子ａ８を端子ａ７、ｂ７及びｃ７のうちのいずれかに接続する。各出力側高周波リレーが端子ａ８と接続する端子は、前記制御信号により高周波リレー１０４ａが端子ａ１を接続する端子が、ａ２、ｂ２及びｃ２の各々である場合には、この順に、端子ａ７、ｂ７及びｃ７の各々である。
【００２６】
高周波リレー１０４ｂ乃至１０４ｄの各々は、例えば、高周波リレー１０４ａと同じ仕様を有するものである。高周波リレー１０４ｂ乃至１０４ｄの各々は、高周波リレー１０４ａと同じ仕様を有することにより、端子１０６からの前記制御信号のタイミングに同期した動作を行う。
【００２７】
各出力側高周波リレーの端子ａ８に出力された分配後出力信号は、端子１０２ａ乃至１０２ｃの各々に出力される。
【００２８】
図２は、図１に表す補正回路１０５ａ乃至１０５ｃの各々の例である補正回路１０５の構成を表す概念図である。
【００２９】
補正回路１０５は、副補正回路１０６ａ、１０６ｂ及び１０６ｃを備える。
【００３０】
副補正回路１０６ａは、端子ａ５から入力された前述の分配信号についてのバンドパスフィルタ及びアンプを構成する。
【００３１】
容量素子Ｃ１の容量値及び抵抗素子Ｒ１の抵抗値は、前記バンドパスフィルタの低域側のカットオフ周波数を設定する。また、容量素子Ｃ２の容量値及び抵抗素子Ｒ２の抵抗値は、前記バンドパスフィルタの高域側のカットオフ周波数を設定する。
【００３２】
これらにより、前記バンドパスフィルタの通過帯域は、対応する分配合成器が対象とする周波数帯に合わせたものになる。
【００３３】
そして、副補正回路１０６ａは、前記アンプとして、抵抗素子Ｒ１と抵抗素子Ｒ２との比に応じたオペアンプ（ｏｐｅｒａｔｉｏｎａｌ  ａｍｐｌｉｆｉｅｒ）の利得により、図１に表す高周波リレー１０４ａ乃至１０４ｄにより生じる信号レベルの低下を補う。当該利得は、図１に表す高周波リレー１０４ａ及び高周波リレー１０４ｂ乃至１０４ｄのうちのいずれかにおいて生じる信号レベルの低下を補うように設定される。その信号レベルの低下は、補正回路１０５が接続された分配合成器に係る前述の周波数帯域に応じて生じるものである。
【００３４】
副補正回路１０６ｂ及び１０６ｃについても副補正回路１０６ａと同様である。
【００３５】
図２に表すオペアンプＡとしては、例えば、テキサス・インスツルメンツ社製のＯＰＡ６５７−ＤＩＥ等を用いることができる。同オペアンプは、１．６ＧＨｚまでの周波数の信号の増幅が可能である。
【００３６】
オペアンプを用いる場合より高周波数の信号を扱うためには、差動アンプを用いる。例えば、テキサス・インスツルメンツ社製のＬＭＨ５４０１は利得帯域幅積が８ＧＨｚなので、本実施形態で想定される信号の増幅に適用可能と考えられる。
【００３７】
差動アンプを用いる場合は、図２に表す副補正回路１０６ａとして、例えば、図３に表す副補正回路１０６ａを用いる。
【００３８】
図３に表すＢＰＦ（Ｂａｎｄ−ｐａｓｓ  ｆｉｌｔｅｒ）は、端子ａ５に入力された前述の分配信号に含まれる所定の周波数帯域の信号を通過させる。ＢＰＦとしては、市販のものを用いることができる。
【００３９】
差動アンプは、抵抗素子Ｒ１を介してＢＰＦから入力された信号とグランドとの差を増幅する。そして、差動アンプは、極性が逆で信号レベルが等しいバランスされた二つの出力信号を抵抗素子Ｒ３の各々を介して、Ｂａｌａｎｃｅｄ  ｔｏ  Ｕｎｂａｌａｎｃｅｄ変換器の二つの入力端子に入力する。
【００４０】
Ｂａｌａｎｃｅｄ  ｔｏ  Ｕｎｂａｌａｎｃｅｄ変換器は、それらの二つの信号を、グランドを基準とする一つの信号に変換して、端子ａ６に出力する。Ｂａｌａｎｃｅｄ  ｔｏ  Ｕｎｂａｌａｎｃｅｄ変換器には、市販のものを用いることができる。
【００４１】
図２に表す副補正回路１０６ｂ及び１０６ｃとしても、同様の構成を用いる。
［動作例］
次に、図１に表す第一実施形態の分配合成装置１００ａが行う、入力信号の分配動作に係る動作例について説明する。
【００４２】
以下に説明する動作の前提として、図１に表す分配合成器１０３ａ、１０３ｂ及び１０３ｃの各々が対象とする周波数帯域が、この順に、０．３乃至１ＧＨｚ、１乃至３ＧＨｚ及び３乃至５ＧＨｚの各々であるとする。そして、補正回路１０５ａ乃至１０５ｃの各々は、この順に、０．３乃至１ＧＨｚ、１乃至３ＧＨｚ及び３乃至５ＧＨｚの各々の帯域において、高周波リレー１０４ａ乃至１０４ｄにおいて発生する信号レベルの低下を補正するように設定されているとする。
【００４３】
まず、図１に表す端子１０１に入力される入力信号の周波数が１．２ＧＨｚであるとする。
【００４４】
その場合、外部から、端子１０６を通じて、高周波リレー１０４ａの端子ａ１を端子ｂ２に、高周波リレー１０４ｂ乃至１０４ｄの各々の端子ｂ７を端子ａ８に各々接続する制御信号が入力される。
【００４５】
当該制御信号の入力を受けて、高周波リレー１０４ａは、端子ａ１を端子ｂ２に、高周波リレー１０４ｂ乃至１０４ｄの各々は端子ｂ７を端子ａ８に各々接続する。
【００４６】
これにより、端子１０１から、端子１０２ａ乃至１０２ｃの各々に接続する３つの経路が形成される。分配合成装置１００ａは、当該３つの経路により、入力信号を３つに分配した後、各高周波リレーにおいて生じる１乃至３ＧＨｚの帯域で生じる信号レベル低下を補正し、端子１０２ａ乃至１０２ｃの各々に出力する。
【００４７】
次に、図１に表す端子１０１に入力される入力信号の周波数が０．６ＧＨｚであるとする。
【００４８】
その場合、端子１０６には、高周波リレー１０４ａの端子ａ１を端子ａ２に、高周波リレー１０４ｂ乃至１０４ｄの各々の端子ａ７を端子ａ８に各々接続する制御信号が入力される。
【００４９】
当該制御信号の入力を受けて、高周波リレー１０４ａは、端子ａ１を端子ａ２に、高周波リレー１０４ｂ乃至１０４ｄの各々は端子ａ７を端子ａ８に各々接続する。
【００５０】
これにより、端子１０１から、端子１０２ａ乃至１０２ｃの各々に接続する３つの経路が形成される。分配合成装置１００ａは、当該３つの経路により、入力信号を３つに分配した後、各高周波リレーにおいて生じる０．３乃至１ＧＨｚの帯域で生じる信号レベルの低下を補正し、端子１０２ａ乃至１０２ｃの各々に出力する。
【００５１】
次に、図１に表す端子１０１に入力される入力信号の周波数が４ＧＨｚであるとする。
【００５２】
その場合、端子１０６には、高周波リレー１０４ａの端子ａ１を端子ｃ２に、高周波リレー１０４ｂ乃至１０４ｄの各々の端子ｃ７を端子ａ８に各々接続する制御信号が入力される。
【００５３】
当該制御信号の入力を受けて、高周波リレー１０４ａは、端子ａ１を端子ｃ２に、高周波リレー１０４ｂ乃至１０４ｄの各々は端子ｃ７を端子ａ８に各々接続する。
【００５４】
これにより、端子１０１から、端子１０２ａ乃至１０２ｃの各々に接続する３つの経路が形成される。分配合成装置１００ａは、当該３つの経路により、入力信号を３つに分配した後、各高周波リレーにおいて生じる３乃至５ＧＨｚの帯域で生じる信号レベルの低下を補正し、端子１０２ａ乃至１０２ｃの各々に出力する。
［効果］
第一実施形態の分配合成装置１００ａは、所定の周波数帯域に属する周波数の入力信号を分配し補正する、分配合成器と補正回路との組合せの切替えを高周波リレーにより行う。前記分配合成器は、前記周波数帯域を対象とするものである。また、前記補正回路は、その周波数帯域の信号について高周波リレーで生じる信号の低下を補正するものである。
【００５５】
分配合成装置１００ａは、前記切替えを人手ではなく高周波リレーにより行う。そのため、分配合成装置１００ａは、測定する周波数帯が変わる毎に分配合成器を人が交換する手間と時間を減らし、人により前記交換を行うことにより生じる測定精度のばらつきを抑え得る。
【００５６】
分配合成装置１００ａは、さらに、各補正回路により前述の補正を行う。そのため、分配合成装置１００ａは、高周波リレーを用いることによる信号レベルの低下を抑え得る。
＜第二実施形態＞
第二実施形態は、分配合成器を合成器として動作させる場合についての実施形態である。
［構成と動作］
第二実施形態の分配合成器の構成例は、図１に表す分配合成装置１００ａである。
【００５７】
そして、分配合成装置１００ａの説明は、以下の説明が、第一実施形態の分配合成装置１００ａの説明と異なる。
【００５８】
端子１０２ａ乃至１０２ｃの各々には、外部から入力信号が入力される。当該外部は、例えば、前記入力信号を１０２ａ乃至１０２ｃの各々へ入力するとともに、その入力信号の周波数の属する後述の周波数帯域に応じた後述の制御信号を端子１０６に入力する、入力装置である。
【００５９】
端子１０２ａ乃至１０２ｃの各々に入力された前記入力信号の各々は、高周波リレー１０４ｂ乃至１０４ｄの各々（各入力側高周波リレー）の端子ａ８に入力される。
【００６０】
端子１０６には、前述の外部より、各入力側高周波リレーの端子ａ８を、前記入力信号の周波数帯域により、それぞれの端子ａ７乃至ｃ７に切り替えさせる前述の制御信号が入力される。
【００６１】
当該制御信号により、各入力側高周波リレーは、各々の端子ａ８を接続する端子を、各々の端子ａ７乃至ｃ７のうちの指定されたものに切り替える。
【００６２】
高周波リレー１０４ｂ乃至１０４ｄの各々の端子ａ７に出力された信号は、補正回路１０５ａの端子ａ６乃至ｃ６の各々に入力される。高周波リレー１０４ｂ乃至１０４ｄの各々の端子ｂ７に出力された信号は、補正回路１０５ｂの端子ａ６乃至ｃ６の各々に入力される。高周波リレー１０４ｂ乃至１０４ｄの各々の端子ｃ７に出力された信号は、補正回路１０５ｃの端子ａ６乃至ｃ６の各々に入力される。
【００６３】
補正回路１０５ａ乃至１０５ｃの各々（各補正回路）は、その端子ａ６乃至ｃ６に入力された信号において生じる信号電圧の低下を補正する。当該信号電圧の低下は、高周波リレー１０４ｂ乃至１０４ｄのうちのいずれかと、高周波リレー１０４ａにおいて生じるものである。各補正回路の端子ａ６乃至ｃ６の各々に入力された信号は上記補正後にその補正回路の端子ａ５乃至ｃ５の各々に出力される。端子ａ５乃至ｃ５の各々に出力された各信号は、分配合成器１０３ａ乃至１０３ｃのうちの対応するものの、端子ａ４乃至ｃ４の各々に入力される。
【００６４】
分配合成器１０３ａ乃至１０３ｃの各々は、その分配合成器の端子ａ４乃至ｃ４に入力された信号を合成し、その分配合成器の端子ａ３に出力する。
【００６５】
高周波リレー１０４ａには、前述の端子１０６を通じて、前記外部から、前記制御信号が入力される。高周波リレー１０４ａは、前記制御信号により、端子ａ１を端子ａ２乃至ｃ２のうちのいずれかに接続する。高周波リレー１０４ａが端子ａ１を接続する接続先は、高周波リレー１０４ｂ乃至１０４ｄの各々が端子ａ８を接続する接続先が端子ａ７乃至ｃ７の各々である場合に、この順に、端子ａ２乃至ｃ２の各々である。
【００６６】
分配合成装置１００ａによる合成と補正とが行われた信号は、端子１０１から出力される。
【００６７】
本実施形態の各補正回路の構成例は図２に表す補正回路１０５である。ただし、図２及び補正回路１０５についての実施形態１における説明において、端子ａ５、ｂ５及びｃ５は、この順に、端子ａ６、ｂ６及びｃ６と、端子ａ６、ｂ６及びｃ６は、この順に、端子ａ５、ｂ５及びｃ５と、それぞれ、読み代える。
［効果］
第二実施形態の分配合成装置１００ａは、分配合成器と補正回路との組合せの切替えを高周波リレーにより行う。前記組合せは、所定の周波数帯域に属する周波数の複数の入力信号の合成と補正とを行うものである。また、前記分配合成器は、前記周波数帯域を対象とするものである。また、当該補正回路は、その周波数帯域の信号について高周波リレーで生じる信号の低下を補正するものである。
【００６８】
分配合成装置１００ａは、前記切替えを人手ではなく高周波リレーにより行う。そのため、分配合成装置１００ａは、測定する周波数帯が変わる毎に分配合成器を人が交換する手間と時間を削減し、人により前記交換を行うことにより生じる測定精度のばらつきを抑え得る。
【００６９】
分配合成装置１００ａは、さらに、各補正部により前記補正を行う。そのため、分配合成装置１００ａは、高周波リレーを用いることによる信号レベルの低下を抑え得る。
【００７０】
図４は実施形態の分配合成装置の例である分配合成装置１００ｘの構成を表す概念図である。
【００７１】
分配合成装置１００ｘは、第一切替部１０４ａｘと、対象とする周波数帯域が互いに異なる複数個（ｎ個）の分配合成器１０３ｘ１乃至１０３ｘｎと、前記複数個（ｎ個）の第二切替部１０４ｂｘ１乃至１０４ｂｘｎとを備える。
【００７２】
第一切替部１０４ａｘは、図示しない第一端子と分配合成器１０３ｘ１乃至１０３ｘｎの各々との接続を入力信号の周波数に応じて切り替える。
【００７３】
第二切替部１０４ｂｘ１乃至１０４ｂｘｎは、前記複数個の図示しない第二端子の各々と分配合成器１０３ｘ１乃至１０３ｘｎの各々との接続を前記周波数に応じて切り替える。
【００７４】
分配合成装置１００ｘは、対象とする周波数帯域が互いに異なる複数個の分配合成器である分配合成器１０３ｘ１乃至１０３ｘｎを、第一切替部１０４ａｘと第二切替部１０４ｂｘ１乃至１０４ｂｘｎにより、切り替える。
【００７５】
そのため、分配合成装置１００ｘは、測定する周波数帯が変わる毎に分配合成器を交換する手間と時間を削減し、交換時に生じる測定精度のばらつきを抑え得る。
【００７６】
そのため、分配合成装置１００ｘは、前記構成により、［発明の効果］の項に記載した効果を奏する。
【００７７】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【００７８】
また、前記の実施形態の一部又は全部は、以下の付記のようにも記述され得るが、以下には限られない。
（付記１）
第一切替部と、
対象とする周波数帯域が互いに異なる複数個の分配合成器と、前記複数個の第二切替部と、を備え、
前記第一切替部は、第一端子と前記分配合成器の各々との接続を入力信号の周波数に応じて切り替え、
前記第二切替部は、前記複数個の第二端子の各々と前記分配合成器の各々との接続を前記周波数に応じて切り替える、
分配合成装置。
（付記２）
前記分配合成器の各々に各々接続され、前記第一切替部及び前記第二切替部において生じる信号レベルの低下を補正する、前記複数個の補正部をさらに備える、付記１に記載された分配合成装置。
（付記３）
前記第二端子の各々が、前記補正部に接続されている、付記２に記載された分配合成装置。
（付記４）
前記低下が前記周波数に応じたものである、付記２又は付記３に記載された分配合成装置。
（付記５）
前記補正に係る補正量が前記周波数帯域に応じたものである、付記２乃至付記４のうちのいずれか一に記載された分配合成装置。
（付記６）
前記補正部の各々が、接続された前記分配合成器の各々に係る前記周波数帯域に応じた通過帯域のフィルタを備える、付記２乃至付記５のうちのいずれか一に記載された分配合成装置。
（付記７）
前記第一切替部が高周波リレーである、付記１乃至付記６のうちのいずれか一に記載された分配合成装置。
（付記８）
前記第二切替部が高周波リレーである、付記１乃至付記７のうちのいずれか一に記載された分配合成装置。
（付記９）
前記第一切替部と前記第二切替部が共通の仕様を有する、付記１乃至付記８のうちのいずれか一に記載された分配合成装置。
（付記１０）
前記入力信号を分配する、付記１乃至付記９のうちのいずれか一に記載された分配合成装置。
（付記１１）
前記複数の前記入力信号を合成する、付記１乃至付記９のうちのいずれか一に記載された分配合成装置。
【符号の説明】
【００７９】
１００ａ    分配合成装置
１０１、１０２ａ、１０２ｂ、１０２ｃ、１０６、ａ１、ａ２、ａ３、ａ４、ａ５、ａ６、ａ７、ａ８、ｂ２、ｂ４、ｂ５、ｂ６、ｂ７、ｃ２、ｃ４、ｃ５、ｃ６、ｃ７    端子
１０３ａ、１０３ｂ、１０３ｃ    分配合成器
１０４ａ、１０４ｂ、１０４ｃ、１０４ｄ    高周波リレー
１０５、１０５ａ、１０５ｂ、１０５ｃ    補正回路
１０６ａ、１０６ｂ、１０６ｃ    副補正回路
Ａ    オペアンプ
Ｃ１、Ｃ２    容量素子
Ｒ１、Ｒ２、Ｒ３    抵抗素子
【図１】
2019213021.tif 000003
【図２】
2019213021.tif 000004
【図３】
2019213021.tif 000005
【図４】
2019213021.tif 000006